(57)【要約】粒子材料用のスプレーアプリケーターは、濃厚相材料流で特に有用な寸法にされる一体粉体通路を含む。粉体通路を出る濃厚相材料に霧化及びパターン整形空気を供給するために用いられる空気キャップにキー固定される外部電極アセンブリが設けられている。このように、ノズルは必要ない。スプレーパターンを動的に調整するために作業者が用いることができるパターン整形トリガを含む手動及び自動バージョンのアプリケーターが提供される。自動ガンバージョンは、取り付け位置にある倍率器を有することで細長いガンの曲げモーメントを減らす。
2007502705.tif 000002
【特許請求の範囲】
【請求項１】
濃厚相粒子材料用の材料塗布装置であって、
材料給送ホースから濃厚相粒子材料を受け取るようになっている材料入口を後端に有するハウジングと、
前記材料入口から前記ハウジングを通って前記ハウジングの出口端まで延在している給送管と、
前記出口端に設けられ、空気源から加圧空気を受け取り且つ前記給送管を出る濃厚相粒子材料に空気流を向ける空気キャップと
を備える濃厚相粒子材料用の材料塗布装置。
【請求項２】
前記材料は粉体コーティング材料である請求項１に記載の濃厚相粒子材料用の材料塗布装置。
【請求項３】
前記空気キャップからの前記空気流は、前記濃厚相粒子材料を拡散及び霧化させる請求項１に記載の濃厚相粒子材料用の材料塗布装置。
【請求項４】
前記ハウジングの外部に配置されて、前記給送管を出る前記濃厚相粒子材料を静電帯電させる電極を備える請求項１に記載の濃厚相粒子材料用の材料塗布装置。
【請求項５】
前記電極は、前記空気キャップに取り付けられた電極ホルダ内に支持されている請求項４に記載の濃厚相粒子材料用の材料塗布装置。
【請求項６】
前記電極ホルダは、電極先端を前記出口端と整合固定するために前記空気キャップにキー固定されている請求項５に記載の濃厚相粒子材料用の材料塗布装置。
【請求項７】
材料塗布装置であって、
入口端及び出口端を有し、材料入口のある後方部分、中間部分、及び材料出口のある前方部分を有し、前記中間部分は、前記後方部分に比して実質的に細長く、前記後方部分は支持装置を有するハウジングと、
前記後方部分の前記支持装置付近に配置された電圧倍率器と
を備える材料塗布装置。
【請求項８】
前記支持装置は、手動ガンのグリップである請求項７に記載の材料塗布装置。
【請求項９】
前記支持装置は、前記材料塗布装置を支持体に取り付ける請求項７に記載の材料塗布装置。
【請求項１０】
前記支持体は、ガン移動装置である請求項９に記載の材料塗布装置。
【請求項１１】
前記材料出口付近に配置される帯電電極と、前記電圧倍率器の出口から前記細長い中間部分を通って抵抗素子まで延在している電気ケーブルとを備え、前記抵抗素子は、前記ハウジングの前記前方部分において前記電気ケーブル及び前記電極に電気結合されている請求項７に記載の材料塗布装置。
【請求項１２】
前記ハウジングは、前記入口端から前記出口端まで延在している給送管によって一緒に保持される３つの個別の部分で形成されている請求項７に記載の材料塗布装置。
【請求項１３】
前記ハウジングは、端面図で見ると下側部分と比較してより急勾配な側面を有する狭く丸められた上側部分を有する外形を有することで、そうでない場合は前記ハウジングに降りかかるであろう材料を流す請求項７に記載の材料塗布装置。
【請求項１４】
帯電電極と、材料塗布装置のハウジング内を流れる加圧空気の供給源とを有する形式の材料塗布装置において、
前記ハウジングを通る空気流を拡散させる拡散リングを備え、前記拡散リングは、導電性であり、前記材料塗布装置が組み立てられたときに前記電極に電気結合する材料塗布装置。
【請求項１５】
材料が出る出口端を有するハウジングと、該出口端を出る材料に空気を向ける１つ又は複数の空気オリフィスと、材料塗布装置内の材料流を制御するトリガとを備える形式の材料塗布装置において、
前記トリガを用いて、又は前記トリガから独立して作動させることができる制御装置と、
該制御装置の作動を検出し、且つ該制御装置の作動パラメータに応じて空気ジェットからの空気流を調整する空気制御ロジックと
を備えた材料塗布装置。
【請求項１６】
粒子材料用の材料塗布装置であって、
材料給送ホースから粒子材料を受け取るようになっている材料入口を後端に有するハウジングと、
前記材料入口から前記ハウジングを通って前記ハウジングの出口端まで延在している給送管であって、前記材料入口に位置する第１の端及び前記出口端に位置する第２の端を有する給送管と、
前記給送管の前記第２の端を受け入れる内径を有し、空気源から加圧空気を受け取り、且つ前記給送管を出る粒子材料に空気流を向ける空気キャップと
を備える粒子材料用の材料塗布装置。
【請求項１７】
前記材料は、粉体コーティング材料である請求項１６に記載の粒子材料用の材料塗布装置。
【請求項１８】
前記空気キャップからの前記空気流は、前記粒子材料を拡散させる請求項１６に記載の粒子材料用の材料塗布装置。
【請求項１９】
前記ハウジングの外部に配置されて、前記材料塗布装置を出る材料を静電帯電させる電極を備える請求項１６に記載の粒子材料用の材料塗布装置。
【請求項２０】
前記電極は、前記空気キャップに取り付けられる電極ホルダ内に支持されている請求項１９に記載の粒子材料用の材料塗布装置。
【請求項２１】
前記電極ホルダは、電極先端を前記出口端と整合固定するために前記空気キャップにキー固定されている請求項２０に記載の粒子材料用の材料塗布装置。
【請求項２２】
粉体コーティング材料スプレーガンであって、粉体コーティング材料が該粉体コーティング材料スプレーガンに接続される粉体コーティング材料供給ホースから該粉体コーティング材料スプレーガン内を通過するときに流れる粉体路を含むバレルを有し、前記粉体路の少なくとも１つの部品は前記バレル内に取り外し可能に固定されている粉体コーティング材料スプレーガン。
【請求項２３】
前記粉体路の前記取り外し可能部品は、工具を必要とせずに取り外し可能である請求項２２に記載の粉体コーティング材料スプレーガン。
【請求項２４】
前記粉体路の前記取り外し部品は、前記ガン内に摺動可能に受け入れられている請求項２２に記載の粉体コーティング材料スプレーガン。
【請求項２５】
粉体コーティング材料スプレーガンであって、粉体コーティング材料が粉体コーティング材料供給ホースから該粉体コーティング材料スプレーガン内を通過して該粉体コーティング材料スプレーガンのスプレーノズルを出るときに粉体コーティング材料が流れる粉体路を含むバレルを有し、前記バレルは、前記粉体スプレーノズルの周りで該粉体コーティング材料スプレーガンの前部に固定される空気キャップに圧縮空気を供給する空気流通路も有し、前記空気キャップは、該粉体コーティング材料スプレーガンからスプレーされる粉体スプレーパターンを整形するために、該粉体コーティング材料スプレーガンからスプレーされる粉体材料に衝突する前記圧縮空気が通過する１つ又は複数の開口を有し、該粉体コーティング材料スプレーガンはさらに、前記空気キャップを通る前記圧縮空気の流れを制御して前記粉体スプレーパターンの形状を調整する調整部材を備える粉体コーティング材料スプレーガン。
【請求項２６】
前記粉体コーティング材料スプレーガンは、手持ち式の手動スプレーガンであり、前記調整部材は、前記粉体コーティング材料スプレーガンに設けられている請求項２５に記載の粉体コーティング材料スプレーガン。
【請求項２７】
前記調整部材は、前記粉体コーティング材料スプレーガンに設けられるトリガ部材である請求項２６に記載の粉体コーティング材料スプレーガン。
【請求項２８】
前記空気キャップを通る前記圧縮空気の流れを繰り返し増減して、作業者が最適なスプレーパターンを設定できるようにするコントローラをさらに備える請求項２６に記載の粉体コーティング材料スプレーガン。
【請求項２９】
前記粉体コーティング材料スプレーガンは、手持ち式の手動スプレーガンであり、前記空気キャップを通る前記圧縮空気の流れを前記コントローラが繰り返し増減させている間に、所望のスプレーパターンを提供する空気流の設定を選択するためのトリガ部材が設けられている請求項２８に記載の粉体コーティング材料スプレーガン。
【請求項３０】
粉体コーティング材料スプレーガンであって、粉体コーティング材料が粉体コーティング材料供給ホースから該粉体コーティング材料スプレーガン内を通過して該粉体コーティング材料スプレーガンのスプレーノズルを出るときに粉体コーティング材料が流れる粉体路を含むバレルを有し、前記バレルは、該粉体コーティング材料スプレーガンからスプレーされる粉体材料を静電帯電させるために、該粉体コーティング材料スプレーガンの前記スプレーノズルに隣接して設けられる電極に接続する電源ラインが通る通路も有し、前記電極は成形アセンブリ内に封入されている粉体コーティング材料スプレーガン。
【請求項３１】
前記バレルは、前記粉体スプレーノズルの周りで前記粉体コーティング材料スプレーガンの前部に固定された空気キャップに圧縮空気を供給する空気流通路も有し、前記空気キャップは、前記粉体コーティング材料スプレーガンからスプレーされる粉体スプレーパターンを整形するために前記粉体コーティング材料スプレーガンからスプレーされる粉体材料に衝突する前記圧縮空気が通過する１つ又は複数の開口を有し、前記成形電極アセンブリは、前記空気キャップ内に受け入れられている請求項３０に記載の粉体コーティング材料スプレーガン。
【発明の詳細な説明】
【技術分野】
【０００１】
［発明の技術分野］
本発明は、包括的には、材料塗布システム、例えば限定はされないが粉体コーティング材料塗布システムに関する。より詳細には、本発明は、洗浄時間及び色交換時間を短縮し、使いやすさを改善するアプリケーターに関する。
【背景技術】
【０００２】
［関連出願］
本願は、「POWDER APPLICATOR WITH PATTERN ADJUSTMENT」として２００３年８月１８日に出願された係属中の米国仮特許出願第６０／４８１，２５０号、「POWDER SPRAY APPLICATOR」として２００３年１１月１８日に出願された係属中の米国仮特許出願第６０／５２３，０１２号、及び「POWDER COATING MATERIAL SPRAY GUN」として２００４年３月１９日に出願された係属中の米国仮特許出願第６０／５５４，６５５号の優先権を主張する。この引用により、上記全ての出願の全ての開示内容を、本明細書に完全に援用される。
【０００３】
［発明の背景］
材料塗布システムは、１つ又は複数の材料を１つ又は複数の層で物体に塗布するために用いられる。一般的な例は、粉体コーティングシステム、食品加工産業、医薬品、電子産業、及び製品組み立てに用いることができるような他の粒子材料塗布システム、絶縁保護コーティングをプリント回路基板に、又は接着剤を表面に塗布するような液体スプレーシステム、及び液体塗料スプレーシステムである。これらは、材料を物体に塗布するのに用いられる様々な多くのシステムのほんの数例にすぎない。
【０００４】
乾燥粒子材料の塗布は、いくつかの異なるレベルで特に困難である。一例は、粉体スプレーガンを用いた粉体コーティング材料の物体への塗布であるが、これは決して本発明の使用及び用途を限定するものではない。スプレーされた粉体は雲状又は拡散したスプレーパターンに広がる傾向があるため、既知の粉体塗布システムは、閉じ込め用のスプレーブースを用いる。目標物体に付着しない粉体粒子は、一般に粉体オーバースプレーと呼ばれ、これらの粒子はブース内で不規則に落下する傾向があり、スプレーブース内のほぼ全ての露出表面に降りかかる。したがって、洗浄時間及び色交換時間は、粉体オーバースプレーに曝される表面積の量に大きく関係する。
【０００５】
色交換時間及び洗浄は、粉体オーバースプレーに曝される表面積に加えて、塗布プロセス中に粉体流に曝される内表面積の量に大きく関係する。このような内表面積の例には、粉体の供給源から粉体スプレーガンに至るまでの粉体流路を形成する全表面積が含まれる。内表面積は通常、粉体流路にパージ空気を吹き込むことにより洗浄される。さらに、材料が衝突する表面を有する磨耗部品、例えば通常の粉体スプレーガンのスプレーノズルは、磨耗表面上への粉体の融着により洗浄が困難な場合がある。さらにまた、既知の粉体スプレーガンでは、主にノズルの交換、又はガン内で粉体を押す空気流の体積及び／又は流量の変更により、スプレーパターンが変わる。
【０００６】
多くの既知の材料塗布システムは、粒子材料の静電帯電を利用して塗着効率を高める。粉体コーティング材料とともに一般的に用いられる静電帯電の１つの形態は、粉体が通過するイオン化電場の生成を伴うコロナ帯電である。静電場は、静電スプレーガンに設置される帯電電極に接続される高電圧源により生成される。通常は、これらの電極は粉体路内に直接配置されるため、粉体路のパージの複雑性が増す。さらに、通常の静電スプレーガンは、ガン本体内のガンの出口端付近に位置する重い電圧倍率器を有し、これがガンの操作を面倒で骨の折れる作業にし得る。
【発明の開示】
【発明が解決しようとする課題】
【０００７】
［発明の概要］
【０００８】
本発明は、限定のためではないが例えば、粉体コーティング材料等の粒子材料用スプレーアプリケーターの洗浄性を高めるための装置及び方法を提供する。洗浄性は、特に、アプリケーターの外面から除去する必要がある粉体オーバースプレーの量を減らすことを指す。洗浄性は、スプレーアプリケーター内の粉体路を画定する内面からパージ又は他の方法で除去する必要がある粉体の量を減らすことを指す場合もある。洗浄性を高めることで、汚染の危険性が低減し、第２の色の粉体を導入する前にアプリケーターから第１の色の粉体を除去するのに要する時間の量が短縮されることにより、色交換時間の迅速化につながる。
【課題を解決するための手段】
【０００９】
本発明の一態様によれば、洗浄性は、粉体オーバースプレーに曝されるスプレーアプリケーターの実効外表面積を減らすことにより高められる。本発明の別の態様によれば、外面は、表面積がより効率的に粉体オーバースプレーを流すことができるような輪郭又は外形にされる。一実施形態では、スプレーアプリケーターは、ハウジングの下側部分と比較して急勾配の側面を有する狭い円形の上側部分を有するように形成されるハウジングを有する。
【００１０】
本発明の別の態様によれば、材料流に曝される表面積の量を減らすように内表面積が減らされる。本発明の別の態様によれば、ノズル装置を用いないスプレーアプリケーターを提供することにより、磨耗表面積及び内表面積が減らされる。一実施形態では、アプリケーターにより塗布されている材料は、アプリケーターのハウジング内に延びる給送管から直接アプリケーター本体を出る。
【００１１】
さらに本発明のこの態様によれば、高密度で低体積の粉体給送で動作するようにスプレーアプリケーターを設計することにより、内表面積が減らされる。これに関連して、高密度とは、スプレーアプリケーターに給送される粉体が、従来の粉体流システムと比較して実質的に少ない量の搬送空気又は流動空気を有することを意味する。低体積とは、単に、従来の粉体スプレーガンと比較して高密度であることにより、粉体を給送するのに必要な流動空気の使用体積が少ないことを指す。粉体流中の相当量の空気を減らすことにより、粉体給送ホース及び粉体給送管等の関連する導管の直径を実質的に減らすことができ、これにより、内表面積を実質的に減らすことができる。これはまた、スプレーアプリケーターの全体寸法の大幅な低減、したがって粉体オーバースプレーに曝される外表面積の量のさらなる低減にもつながる。手動操作式のスプレーアプリケーターの場合、本発明は、容易に交換可能又は取り外し可能な粉体路を提供する。いずれの場合も、任意に１つの部品しか備えない粉体流路が実現される。
【００１２】
本発明の別の態様によれば、高密度で低体積の粉体給送で動作するスプレーアプリケーターが意図される。一実施形態では、その出口端に位置決めされる空気キャップを含むスプレーアプリケーターが提供される。空気キャップは、粉体給送管を出る高密度粉体流に空気流を向けることができる。この構成は、ノズルの使用をなくすだけでなく、給送管を出る高密度粉体流に拡散又は霧化空気を加える。代替的な実施形態では、任意の外部電極が空気キャップに関連して設けられて、静電スプレーアプリケーターを提供する。電極は、スプレーアプリケーターハウジング及び粉体流路の外部に配置される。代替的な実施形態では、電極は、電極の周りに成形される電極ホルダ内に保持され、任意に、電極ホルダは、電極が粉体給送管の出口端に対して常に最適に位置決めされるように、空気キャップにキー固定される。
【００１３】
本発明の別の態様によれば、空気キャップを用いると、粉体流に衝突する空気の流れを調整することにより、スプレーパターン制御が可能となる。一実施形態では、作業者がスイッチの簡単な操作によりスプレーパターンを調整することができるスイッチが設けられる。スプレーパターンの調整を容易にするためにソフトウェアロジックが設けられる。
【００１４】
本発明の他の態様は、電圧倍率器等の重い構成部品をアプリケーターハウジングの後方部分に位置付けることにより、よりユーザフレンドリであるスプレーアプリケーターを提供することを含む。自動ガンの場合、手持ち式ガンとは対照的に、後方にある倍率器は、倍率器の出力からスプレーアプリケーターの前方部分に位置する抵抗及び電極まで延びる細長い電気ケーブルを用いることにより、一実施形態で実現される。これにより、アプリケーターが往復動装置又はガン移動装置に設置される場合に、アプリケーターの重い後端で取り付けることができるため、細長いアプリケーターに加わる歪み及び振動が減る。別の実施形態では、高密度粉体流の使用をさらに促進させるために、ヒートシンク機構が設けられる。
【００１５】
本発明のこれら及び他の態様及び利点は、添付図面を参照して以下の好ましい実施形態の説明を読めば、当業者には明らかとなるであろう。
【発明を実施するための最良の形態】
【００１６】
［発明及びその例示的な実施形態の詳細な説明］
本発明は、粒子材料用のスプレーアプリケーターに関するいくつかの新たな態様を意図している。スプレーアプリケーターは、粒子材料の濃厚相流を用いる材料塗布システムと組み合わせると特に有用である。「濃厚相」とは、粒子流中に存在する空気が給送ホッパ等の供給源における材料を流動化するのに用いられる空気の量とほぼ同じであることを意味する。本明細書で用いる場合、「濃厚相」及び「高密度」は、空気搬送システム内の材料流の低空気体積モードという同じ概念を伝えるために用いられ、この場合、材料粒子の全てが懸濁状態で搬送されるわけではない。このような濃厚相システムでは、材料は、極めて少ない空気体積で流路に沿って押し進められ、材料は、どちらかというと流路に沿って互いに押し固まる栓の性質を帯びて、或る意味では流路内でピストンとして栓を押すようにして流れる。流路の断面が小さいほど、より低い圧力でこの移動を行わせることができる。
【００１７】
これに対して、従来の流れシステムは、空気搬送システムにおける材料流の一つのモードである希薄相を用いる傾向があり、この場合、粒子は全て懸濁状態で搬送される。従来の流れシステムは、供給源から材料を圧送して正圧下でスプレー塗布装置を通して材料を押すために、かなりの量の空気を流れに導入する。例えば、従来の粉体コーティングスプレーシステムの大半が、ベンチュリポンプを用いて供給源からポンプへ流動化した粉体を引き込む。ベンチュリポンプは、意図的にかなりの量の空気を粉体流に加える。通常は、流動空気及び霧化空気が粉体に加えられて、正圧下で給送ホース及びアプリケーター装置を通して粉体を押す。したがって、従来の粉体コーティングスプレーシステムでは、粉体が高速で高体積の空気に乗せられるため、使用可能な粉体流量を得るために大きな直径の粉体通路が必要となる。
【００１８】
濃厚相流は、多くの場合、高圧下で密閉容器に材料を移送することに関連して用いられる。本発明は、単なる材料の輸送又は移送というよりむしろ材料塗布に関するため、高圧下での密閉容器への濃厚相の移送と比較して、実質的に低い圧力及び流量での流れを意図している。
【００１９】
約３〜約６ｃｆｍ（立方フィート／分）の空気体積流量を有する従来の希薄相システム（例えば、ベンチュリポンプ機構を用いるもの等）と比較して、本発明は、例えば約０．８〜約１．６ｃｆｍで動作することができる。したがって、本発明では、粉体送出量は約１５０〜約３００グラム／分程度であり得る。
【００２０】
濃厚相流対希薄相流は、空気流中の材料の濃い濃度対薄い濃度と考えることもできるため、空気に対する材料の比率は濃厚相システムの方がはるかに高い。換言すれば、濃厚相システムにおいて、単位時間当たり同量の材料が通過する（例えば管の）断面積は、希薄相流よりも小さい。例えば、本発明のいくつかの実施形態では、粉体給送管の断面積は、従来のベンチュリタイプシステムの給送管の面積の約１／４である。この場合、単位時間当たりの同等の材料流に関しては、材料は空気流中で、従来の希薄相システムの約４倍も濃い。
【００２１】
本発明は、スプレーアプリケーター及びそれに含まれる種々の改良点に関し、それら改良点には低圧濃厚相アプリケーターに特有のものもあるが、濃厚相か、低圧濃厚相か、又は他のものであるかに関係なく、多くのタイプの材料流システムに有用なものもある。したがって、本発明は、特に濃厚相材料流が生成されてアプリケーターに給送される方法に関するわけではない。概して、濃厚相の送出は、上述のように低空気体積で、負圧下で材料をチャンバ内に引き込み正圧下で材料を排出するように動作するポンプにより行われる。既知の濃厚相ポンプ及び移送システムがいくつかあり、これには、限定はされないが以下の開示、欧州特許出願第０３／０１４，６６１．７号、ＰＣＴ国際公開第０３／０２４，６１３号、及びＰＣＴ国際公開第０３／０２４，６１２号が含まれ、これらの開示内容の全体が、この引用により本明細書に完全に援用される。
【００２２】
図１を参照すると、例示的な実施形態では、本発明は、例えば典型的な粉体コーティングスプレー装置１０等の材料塗布システムとともに用いられて示される。このような設備は、一般に、粉体スプレーブース１２を含み、粉体スプレーブース１２の内部で物体又は部品Ｐに粉体コーティング材料がスプレーされる。部品Ｐへの粉体の塗布は、概して、本明細書では粉体スプレー又は塗布動作と呼ばれるが、粉体が実際に部品に塗布される前、塗布されている間、又は塗布された後に制御及び実行される、任意数の制御関数、ステップ、及びパラメータがあってもよい。
【００２３】
既知のように、部品Ｐは、ハンガー１６又は任意の他の便宜上適当な機構を用いて、オーバーヘッドコンベヤ１４から吊り下げられる。ブース１２は、１つ又は複数の開口１８を含み、開口１８を通して１つ又は複数のアプリケーター２０を用いて、部品Ｐをブース１２内で移動させながら部品Ｐにコーティング材料を塗布することができる。アプリケーター２０は、システム１０全体の特定の設計に応じていかなる数であってもよい。各アプリケーターは、装置２０ａにおけるような手動操作式装置であってもよく、又は本明細書では自動アプリケーター２０ｂと呼ぶシステム制御式装置であってもよい。この場合、「自動」という用語は、単に、自動アプリケーターが手動支持及び手動トリガされるのではなく、支持体に取り付けられて制御システムによりトリガオン／トリガオフされることを指す。本発明は、手動及び自動のスプレーアプリケーターに関する。
【００２４】
粉体コーティング材料塗布業界では、粉体アプリケーターを粉体スプレーガンと呼ぶのが一般的であり、本明細書の例示的な実施形態に関して、アプリケーター及びガンという用語は交換可能に用いられる。しかしながら、本発明は、粉体スプレーガン以外の材料塗布装置にも適用可能であることが意図されるため、本発明を粉体コーティング材料塗布システムに加えて多くの材料塗布システムで用いることができるという概念を伝えるために、スプレーアプリケーターというより一般的な用語を用いる。本発明のいくつかの態様は、静電スプレーガンと非静電スプレーガンとに同様に適用可能である。
【００２５】
スプレーガン２０は、給送センター２２又は他の供給源から、関連する粉体給送又は供給ホース２４を通して粉体を受け取る。自動ガン２０ｂは通常、支持体２６に取り付けられる。支持体２６は、単純な固定構造であってもよく、又は、スプレー動作中にガンを昇降移動させることができる振動装置、又はスプレーブースからガンを出入り移動させることができるガン移動装置又は往復動装置等の可動構造であってもよく、又はそれらの組み合わせであってもよい。
【００２６】
スプレーブース１２は、通常はブース内への大量の閉じ込め空気流によって、ブース内に粉体オーバースプレーを閉じ込めるように設計される。ブース内へのこの空気流は通常、粉体再利用又は回収システム２８により行われる。回収システム２８は、空気搬送粉体オーバースプレーをブースから、例えば導管３０等を通して引き出す。一部のシステムでは、粉体オーバースプレーは、戻りライン３２で表されるように給送センター２２へ戻される。システムによっては、粉体オーバースプレーは、廃棄されるか又は別個の容器に回収される。
【００２７】
スプレーアプリケーターを除いて、スプレーブース１２、コンベヤ１４、回収システム２８、及び給送センター又は供給源２２を含む材料塗布システム１０の選択された設計及び動作は、本発明の一部を形成するものではなく、特定のコーティング塗布の要件に基づいて選択することができる。供給源２２が濃厚相粉体流をスプレーアプリケーター２０に供給することが好ましいが、必須ではない。制御システム３４も同様に、プログラム可能なプロセッサに基づくシステム又は他の適当な制御回路等、従来の制御システムであってもよい。制御システム３４は、通常はプログラム可能なロジック及びプログラムルーチンを用いて、給送センター制御３６（例えば、供給制御及びポンプ動作制御）、ガン動作制御３８、ガン位置制御４０（例えば、用いられる場合は往復動装置／ガン移動装置２６の制御関数等）、粉体回収システム制御４２（例えば、フィルタブロワの後のサイクロンセパレータの制御関数等）、コンベヤ制御４４、及び材料塗布パラメータ制御４６（例えば、粉体流量、塗布膜厚、静電又は非静電塗布等）を含むがこれらに必ずしも限定されない、概して図１に示す多様な制御関数及びアルゴリズムを実行する。従来の制御システムの理論、設計、及びプログラミングを利用することができる。
【００２８】
ガン動作３８の制御関数としては、ガントリガオン／オフ時間、電圧及び電流の設定及び監視等の静電パラメータ、並びにガンへの粉体流量が挙げられるが、これらに限定されない。これらの制御関数は、既知のように従来のものであってもよい。しかしながら、さらに、本発明は、特にスプレーパターン調整及び粉体霧化空気に関する本発明のスプレーアプリケーターの新たな制御関数を意図しており、これについては本明細書で後述する。このさらなるガン制御関数は、ノズルが一般的に用いられ濃厚相粉体流が用いられない従来のシステムとは対照的に、ノズル装置をもはや用いないという特徴とともに濃厚相粉体流に用いられる空気補助機能を用いて、本発明より利用可能となる。
【００２９】
本明細書で説明される実施形態は、粉体コーティング材料塗布システムのスプレーアプリケーターに関して示されるが、本発明を、タイヤ上のタルク、おむつ等の超吸収体、小麦粉、砂糖、塩等の食品関連材料、乾燥剤、離型剤、及び医薬品を含むがこれらに決して限定されない、多くの異なる乾燥粒子材料塗布システムにおいて用いることができることは、当業者には容易に理解されるであろう。選択される材料塗布システムの特定の設計及び動作は、本明細書で特に明記されない限り、本発明に制限を加えるものではない。
【００３０】
本発明の種々の態様は、例示的な実施形態と組み合わせて具現されるように本明細書では説明及び図示されるが、これら種々の態様は、個別に、又は種々の組み合わせ及びそれら組み合わせの副結合要素で、多くの代替的な実施形態で実現することができる。さらにまた、代替的な材料、構造、構成、方法、装置、ソフトウェア、ハードウェア、制御ロジック等、本発明の種々の態様及び特徴に関する種々の代替的な実施形態が本明細書で説明され得るが、このような説明は、現在既知であるか将来開発されるものであるかに関係なく、利用可能な代替的な実施形態の完全な又は網羅的なリストであることを意図するものではない。当業者であれば、本発明の範囲内で、本発明の態様、概念、又は特徴の１つ又は複数をさらなる実施形態に取り入れることができ、このような実施形態が本明細書で明確に開示されていないとしてもそれを行うことができる。さらに、本発明のいくつかの特徴、概念、又は態様が好ましい構成又は方法として本明細書で説明されている場合があっても、このような説明は、そのように明記されない限り、このような特徴が要求されるか又は必要であることを意図するものではない。さらにまた、本発明の理解に役立つように、例示的又は代表的な値及び範囲が含まれている場合があるが、このような値及び範囲は、限定を意味するものと解釈すべきではなく、そのように明記されている場合は臨界値であることのみが意図される。
【００３１】
図１の全体的な概略図からも、このような複雑なシステムは、洗浄及び色交換の準備を行うのが非常に困難であり時間がかかる可能性があることが理解できる。通常の粉体コーティング材料は非常に細かく、スプレーされている物体に向けて細かい雲状又はスプレーパターンで塗布される傾向がある。静電技術を用いても、かなりの量の粉体オーバースプレーは避けられない。色交換中の交差汚染は、多くの産業で重要な問題であるため、材料塗布システムを色交換ごとに徹底的に洗浄することができることが重要である。しかしながら、色交換は材料塗布システムをオフラインにする必要があるため、コスト推進要因である。本発明は容易且つ迅速に洗浄できるスプレーアプリケーターを提供することを目的とする。本発明のさらなる特徴及び態様は、洗浄性に関する事項とは切り離して適用可能である。
【００３２】
図２Ａ及び図２Ｂを参照すると、本発明による自動スプレーアプリケーター２０ｂの例示的な実施形態が示されている。同じ実施形態が、図３Ａ及び図３Ｂの分解斜視図に示されている。
【００３３】
スプレーアプリケーター２０ｂは、アプリケーター構成部品の大半を囲む主ハウジング１００を含む。ハウジング１００は、粉体入口端１０２及び出口端１０４を有する。粉体管１０６がハウジング１００のほぼ全長に延びる。粉体管１０６は、その入口端１０６ａからその出口端１０６ｂまで直線状の一続きの粉体路を形成する。粉体管は、粉体が溜まる可能性がある結合部の数を最小にするために、一部品の管路であることが好ましい。これにより、アプリケーター２０ｂの内部の洗浄及びパージが容易になる。ガンハウジング１００内の粉体路にある唯一の結合部は、粉体ホース（図示せず）がガンの入口端１０２に接続される場所であり、これについては本明細書で後述する。
【００３４】
この実施形態のハウジング１００は前方部分１００ａ、細長い中間部分１００ｂ、及び後方部分１００ｃを含む３部分ハウジングである。前方部分１００ａは、その後端にボス１０８を含み、ボス１０８は、中間部分１００ｂの前端内に好ましくはぴったりとした摩擦嵌めにより嵌まる。後方部分１００ｃは、その前端にボス１１０を含み、ボス１１０は、中間部分１００ｂの後端内に好ましくはぴったりとした摩擦嵌めにより嵌まる。粉体管１０６は、前方部分１００ａの雌ねじ部分と螺合可能に噛み合う前方ねじ部１１２を含む。粉体管１０６は、ロックナット１１６と螺合可能に噛み合う後方ねじ部分１１４（図２Ｃを参照）も含む。ロックナット１１６は、一部分が、ヒートシンク１２０の座ぐり１１８内に延在している。ロックナット１１６は、ガンの組み立て中に座ぐりに当接する。粉体管１０６をハウジング１００の前方部分１００ａと螺合可能に結合して締めたら、次にロックナット１１６を締めることで、粉体管１０６が後方に引っ張られるようにする。この作用により、３つのハウジング部分１００ａ、１００ｂ、及び１００ｃが圧縮状態で軸方向にともに引っ張られ、粉体管１０６がタイロッドのような役割を果たしてハウジング部分を合わせてしっかりと保持するようになる。ロックナット１１６は、ロックナット１１６とヒートシンク１２０との間に摩擦嵌めを提供する、例えばＯリング等のシール１２２を含む。
【００３５】
ロックナット１１６には、粉体管ロックノブ１２４が螺合可能に結合される。粉体給送ホース１２５の前端が、ロックノブの穴１２６に挿入され、粉体管１０６内に形成される内部肩部１２８に突き当たる。ロックノブ１２４の前端と粉体管１０６の後縁との間には、ロックリング１３０が挟まれる。ロックリングは、粉体給送管１２５をガン２０ｂの入口端に挿入することを容易にする。しかしながら、ロックリング１３０は、給送管の外壁を把持して、給送管が後退して外れるのを防止する。ロックリング１３０は、ロックノブ１２４がロックナット１１６に対して締められると、給送管１２５と密着係合する。粉体管１２５は、ロックノブ１２４を単に緩めることにより色交換のために容易に取り外すことができる。粉体の損失を防止するために、シール１３２が設けられる。シール１３２もまた、粉体管１２５がガンから取り外されるときにロックノブ１２４が粉体管の長さに沿って滑らないように、摩擦嵌めを提供する。
【００３６】
したがって、スプレーアプリケーター２０ｂの粉体路が粉体管１１６により画定されることが、図２Ａ及び図２Ｃから明らかとなるであろう。唯一の結合部は、粉体給送ホース１２５が粉体管１１６の肩部１２８に当接する場所１３４である。この１つの結合部を除いて、粉体は出口端１０４までスプレーガン内の一続きの通路に沿って流れることができる。したがって、ガンは色交換のためにパージしやすく、粉体路内に著しく粉体が溜まりやすい領域がない。濃厚相粒子材料とともに用いる場合、粉体管の直径は、従来の粉体スプレーガンの粉体管と比較して実質的に小さい。例えば、本発明の一実施形態では、粉体管の内径は約６ミリメートルであり得るが、従来の希薄相システムでは１１〜１２ミリメートル程度であり得る。
【００３７】
粉体管１０６はハウジング１００内に延び、前端１０６ｂは、ねじ付き保持ナット１４０により前方部分１００ａで保持される空気キャップ１３８の中央穴１３６に受け入れられる。粉体管１０６がガン内の全長に延びるため、典型的な従来技術の粉体スプレーガンで用いられているようなノズル装置はない。むしろ、粉体は粉体管の前端１０６ｂからガンを出る。
【００３８】
ここで、スプレーアプリケーター２０ｂは通常、アプリケーターのほぼ全長が中間部分１００ｂにより画定される、比較的長い装置であることに留意されたい。ガンの全長は、数フィート、例えば５フィートである場合がある。
【００３９】
空気キャップ１３８は、図４及び図５に最も詳しく示される。空気キャップ１３８は、本発明の一態様により、空気を主に霧化空気又は拡散空気として、粉体管の端１０６ｂから出る粉体流に加えるために設けられる。本発明は、濃厚相粒子システムで空気を粉体流に加えることを意図している。空気が加えられないと、濃厚相システム内の粉体流はほぼ流体状であり、管内で粉体流が水のように流れる。
【００４０】
空気キャップ１３８は、粉体管１０６の前端を受け入れる中央通路１３６を含む。通路１３６は、粉体管の端を緩く受け入れるような寸法にされる。これは、粉体流を適切に準備できるように粉体流を空気ジェット１５０に対して中心に置くのに役立つ。これにより、空気を管の端の外側周囲に巡らせて、粉体がガンハウジングの内側に戻ることを防止することもできる。中央通路１３６は、雄ねじ付き内側管状部分１４２により画定される。本明細書で間もなく説明するように、雄ねじ１４４は導電性の拡散リングを受け入れる。空気キャップの外壁１４６も、１４８で示すように雄ねじが切られ、ねじ付き保持ナット１４０と噛み合う。したがって、保持ナット１４０は、空気キャップ１３８と前方ハウジング部分１００ａのねじ端とに螺合可能に結合されて（図２Ｂ）、ハウジング上で空気キャップをしっかりと保持する。
【００４１】
図５に最も分かりやすく示すように、空気キャップは、２つの空気ジェット突起部１４８ａ及び１４８ｂを含む。各突起部１４８は、１つ又は複数の空気ジェット１５０を含む。空気ジェット１５０は、粉体管の端１０６ｂのすぐ前にある霧化すなわち拡散領域１５２へ開いている。空気ジェットの数及び空気ジェットが空気を粉体流に向ける角度は、粉体の霧化を最適にしてスプレーパターンを所望の形状にするための設計上の選択事項である。通常、粉体流に向けられる空気流が多いほど、流れが霧化される量が多くなり、スプレーパターンが大きくなる傾向がある。
【００４２】
空気ジェット１５０は、環状空気通路１５４につながるように開いている。環状空気通路１５４はさらに、環状空洞１５６と連通する。環状空洞１５６は、雌ねじ付き空気拡散リング１５８（図６）を受け入れる。リング１５８は、空気キャップ１３８の内側のねじ１４４と螺合する。図３Ａに最も分かりやすく示すように、リング１５８は、空気キャップ１３８内に均一な空気流を供給する複数の空気穴１６１を含む。リング１５８もまた、導電性材料で形成される。例えば、リング１５８は、カーボン入りのテフロン（登録商標）から形成されてもよい。リング１５８は導電性にされるが、これは、リング１５８が空気キャップ１３８内に拡散空気流を供給することに加えて、高電圧倍率器１６２への電極アセンブリ１６０の電気接続も行うからである。
【００４３】
図７Ａ〜図７Ｃ及び図６を参照すると、本発明の別の態様によれば、粉体が粉体給送管の端１０６ｂを出る場所のすぐ下流に外部電極が設けられる。電極は、ガンハウジング１００の外部に配置することにより、粉体流にも粉体管の洗浄性にも干渉しない。これは、濃厚相材料流の場合に特に有用である。
【００４４】
一実施形態では、電極導体１６４及び電極ホルダ１６６を含む電極アセンブリ１６０が設けられる。ホルダ１６６は導体１６４を覆って成形されることが好ましいが、必須ではない。導体の短い部分１６４ａがホルダ１６６の外に延び、長い部分１６４ｂがホルダ１６６の反対端から延びる。ホルダ１６６には、Ｕ字形ボスの形態の位置合わせキー１６８が形成され、これは空気キャップ１３８に形成される形状を適合した凹部１７０に受け入れられる（図４及び図６を参照）。このように、電極ホルダ１６６を１つの向きでのみ設置することができるため、電極の先端１６４ａが粉体管の端１０６ｂの下流に最適に位置決めされる。ホルダは、空気キャップ１３８の穴１７２に挿入される延長部分１６６ｂを有する。ホルダ１６６の前方部分１６６ａが、電極の先端を位置決めし、延長部分１６６ｂに対してほぼ直角に形成される。
【００４５】
図４及び図６に最も分かりやすく示すように、電極の内側部分１６４ｂは、下方に曲がり、空気キャップの導電性リング１５８と肩部１７４との間に挟まれる。このようにして、電極導体１６４と導電性リング１５８との間にしっかりした電気接続が形成される。
【００４６】
図２Ａ及び図２Ｂを参照すると、導電性リング１５８の裏面と密着するように、接続ピン１８０が前方部分１００ａに位置決めされる。接続ピン１８０は、中間ハウジング部分１００ｂの前方部分内に後方に延びる抵抗ケーブル１８２とも接触する。抵抗ケーブル１８２は、抵抗性の炭素繊維を用いるとともに静電ガンに電流制限保護を与える、任意の従来の抵抗アセンブリであってもよい。この保護は、電極の近くに抵抗を置くことにより高められる。抵抗ケーブル１８２は、ハウジング内でガイド部材１８４により支持されることができ、ガイド部材１８４の後端で付勢ばね１８６により支持される。ばね１８６は、ピン１８０と電気ケーブル１８８との間に良好な電気接点を維持する。ばね１８６の後端は、電気ケーブル１８８の接点と電気接触する。電気ケーブルは、例えば、本発明の譲受人に発行された米国特許第４，５７６，８２７号及び第４，７３９，９３５号によるものとすることができ、上記特許の開示内容の全体がこの引用により本明細書に完全に援用される。
【００４７】
電気ケーブル１８８は、ハウジングの長い中間部分１００ｂ内に後方に延びる。電気ケーブル１８８の後端は、倍率器１６２の出力接点１９０と電気接触する。ナット１９２を用いて、電気ケーブル１８８を倍率器の出力１９０に固定することができる。
【００４８】
したがって、本発明の別の態様によれば、高電圧倍率器１６２は、ガンハウジングの後方部分の、好ましくはガンが取り付けられる場所付近に位置決めされる。このように、ガンの重量の大部分が後端で支持されることで、ガンの前方部分の振動及び移動が大幅に減る。従来の粉体ガンのように、倍率器がガンの前部の近くに位置決めされた場合、片持ち式の取り付けにより大きな曲げモーメントが生じる可能性がある。したがって、本発明は、倍率器をガンの後方部分に配置し、抵抗をガンの前部付近に配置した状態で、抵抗及び電極に結合された電気ケーブルと直列にした倍率器の配置を意図している。
【００４９】
倍率器１６２は、ボルト１９６により取付具１９４に取り付けられる。取付具は、アルミニウム製等の熱伝導性であり、一対のねじ１９８によりヒートシンク１２０に取り付けられる。このように、倍率器はヒートシンク１２０により冷却することができる。既知のように、従来の電気入力コネクタ１２１を用いて、入力駆動電圧、通常は低ＤＣ電圧が倍率器の入力に供給される。
【００５０】
空気管２００が、前方ハウジング部分１００ａに形成されるニップル２０２上に載せられる。ニップル２０２は、導電性リング１５８の直後にある環状空洞１５６につながるように開いている主空気通路２０４に通じる空気通路を形成する。したがって、本明細書で上述したように、空気管２００を流れる空気は、リング１５８の穴１６１を通過した後で、空気キャップ１３８の空気ジェット１５０から出る。
【００５１】
空気管２００は、雄型コネクタ２０６までガンハウジング１００内を後方に延在している。雄型コネクタ２０６は、ヒートシンク１２０の前面２１０に形成される第１の穴２０８と噛み合う（図２Ｃを参照）。第１の穴２０８は、ヒートシンク１２０の裏面２１４に形成される第２の穴２１２につながるように開いている。図２Ｃから、第１の穴２０８と第２の穴２１２とは流体連通しているが、第１の穴２０８の中心線軸は第２の穴２１２の中心線からずれていることに留意されたい。これにより、乱流が起こるため、ヒートシンク１２０がより良好に冷却される。第２の接続具２１６が第２の穴２１２に接続され、主空気ホース（図示せず）用の接続部の役割を果たす。この構成により、空気はこのようにしてガンの前部にある空気キャップに供給され、倍率器は、空気キャップへ移動する同じ空気流に曝されるヒートシンクにより冷却される。
【００５２】
図３Ａ及び図３Ｂの分解図は、本明細書で上述したアセンブリをより分かりやすく示すように提供される。
【００５３】
本発明の別の態様によれば、図３Ａ及び図３Ｂに最も分かりやすく示すように、ハウジング１００の各部分には、小半径の頂部２２４でつながる２つの比較的急勾配の壁２２２により形成される、テーパ状の上側部分２２０が形成されることが好ましい。好ましくは、ガンがスプレー材料に用いられているときに頂部がガンハウジングの最上部となることにより、ガンハウジング１００の外形がガンに降りかかり得る粉体オーバースプレーの量を減らし、急勾配の側面が粉体を流すのを助けることができる。
【００５４】
図８Ａ及び図８Ｂを参照すると、本発明は、特に濃厚相材料塗布に適しているがこれに限定されない、手動スプレーアプリケーター２５０も意図している。手動バージョンの多くの特徴は、本明細書で上述した自動スプレーアプリケーターと同じである。
【００５５】
手動ガン２５０は、この実施形態では、後方すなわち倍率器部分２５４及び前方すなわち粉体管部分２５６を含む二部品ハウジングであるバレル形状のハウジング２５２を含む。これらの部分は、例えば止めねじ等の任意の従来の機構により互いに着脱可能に固定することができる。保持ナット２６０により前部ハウジング２５６の出口端に保持される空気キャップ２５８がある。空気キャップは、電極アセンブリ２６２と、同様に導電性の拡散リング２６３とを保持する（図８Ｂに示す）。空気キャップは空気ジェット２５９を含む。空気キャップ２５８、保持ナット２６０、電極アセンブリ２６２（電極導体及びオーバーモールドされた電極ホルダを含む）、及び導電性の拡散リング２６３は、本明細書で上述した自動ガンバージョンの対応部品と同じ設計及び動作であり得る。
【００５６】
手動ガン２５０はさらに、空気ライン（図示せず）に接続可能な接続具２６４等の空気入口を含む。内部の高電圧倍率器２６８（図８に点線で示す）を動作させるための外部の低電圧電源と接続するように、電気コネクタ２６６が設けられる。倍率器２６８は、作業者の疲労を減らすように、グリップハンドル２７０の上の後方ハウジング部分２５４に配置される。粉体管ハウジングは、必要に応じていかなる長さで設けてもよく、又は代替的に、スプレーアプリケーター２５０の長さをさらに延ばすために望まれる場合には、延長ハウジングに接続可能であり得る。
【００５７】
手動ガン２５０の動作は、手動ガンが作業者により手動でトリガされることを除いて、自動バージョンと同様である。したがって、手動ガンは制御トリガ装置２７１を含む。このトリガ２７１が押されると、静電動作が用いられる場合には電力が倍率器に送られる。制御トリガ２７１の作動により、ハンドル２７０及びハウジング２５２内に延びる通路を介して空気を空気キャップ２５８に流すこともできる。空気は、自動バージョンのようにヒートシンクを介して倍率器を冷却するためにも用いることができる。また、制御トリガ２７１の作動により、粉体が粉体給送ホース２７３からガンに流れてガンの前端から出る。
【００５８】
空気は、空気接続具２６４を介してハンドル２７０の通路２７２からアプリケーター２５０に入る。この空気を用いて、倍率器２６８の冷却を助けることができる。通路２７２は、前方ハウジング部分２５６の空気通路２７４と流体連通する。通路２７４は、前方ハウジング部分に延びて、拡散リング２６３を受け入れる空気キャップ２５８の凹部２７６につながるように開いている。
【００５９】
電極２６２は、本明細書で前述したように拡散リング２６３と電気接触する。リング２６３と接触する接続ピン２７８もある。接続ピン２７８は、電気回路の一部であり、この電気回路は、ばね電極２８０及び抵抗アセンブリ２８２、並びに倍率器１６８の出力に電気結合される導電性の電極スペーサ２８２ａを含む。電極スペーサ２８２ａは、例えば導電性のテフロン（登録商標）材料でできていてもよい。この電気回路は、自動ガンの実施形態で本明細書で上述したのと同様であり得る。
【００６０】
粉体給送ホース２７３は、前方ハウジング部分２５６の管状延長部２８４に挿入される。雌ねじ付き管ロックノブ２８６及びロックリング２８８を用いて、管状延長部２８４で給送ホース２７３を保持することができる。ロックリング及びロックノブは、本明細書で前述した自動ガンの対応部品と同様に機能するように設計することができる。
【００６１】
給送ホース２７３の前端２７３ａは、粉体管２９２に形成されるホース通路２９０に挿入される。ホース通路２９０は、アプリケーター２５０の中心長手方向軸に沿っていることが好ましい粉体通路２９４へ開口している。粉体通路２９４の遠位端２９４ａは、粉体管２９２の管状部分２９６（図８Ｃも参照）により形成される。粉体管２９２は、ホース通路２９０を管状延長部２８４と位置合わせして前方ハウジング部分２５６に滑り嵌め又は他の方法で摺動可能に差し込まれるため、粉体給送ホース２７３を粉体管２９２に容易に挿入することができる。遠位端２９４ａは、本明細書で上述した自動ガンの実施形態での給送管１０６及び空気キャップ１３８と同様に空気キャップ２５８に受け入れられることを留意されたい。したがって、粉体管２９２は、ガンの前方への粉体流のために小径の通路を形成するため、手動ガン２５０は例えば濃厚相粉体流に非常に適している。
【００６２】
したがって、粉体管２９２は、スプレーガン２５０の粉体流路全体を形成する容易に取り外し可能なユニットを提供する。これにより、手動ガンの洗浄及び色交換が容易になる。
【００６３】
本発明の別の態様によれば、第２のトリガ装置２９８の形態の調整部材又は制御装置が設けられる。このトリガ２９８は、単独で、又は制御トリガ２７１と組み合わせて作動させることができる。第２のトリガ２９８は作業者が空気キャップ２５８への空気流を調整するのに用いることができるパターン調整トリガである。空気流を増やすことによりスプレーパターンは大きくなり、空気流を減らすことによりスプレーパターンは小さくなる。図１に示すように、制御システム３４は、パターン調整トリガ２９８からの信号（例えば、接点が閉じたときのインピーダンスの変化等）を受け取り、それに応じてガン空気制御信号２９９を発する。空気制御信号２９９を用いて、ガン２５０の内部又は好ましくは粉体塗布システム１０全体の空気制御部分に配置される空気弁（図示せず）を制御することで、必要に応じて空気キャップジェット２５９への空気流を増減させることができる。
【００６４】
図９を参照すると、パターン調整ロジックルーチンすなわちアルゴリズムの例示的なフローチャートが示されている。ステップ３００において、ロジックが、ガンパターン調整トリガ２９８を起動させるかどうかを決定する（トリガが最短期間の間起動されていない限り空気調整を防止するように、デバウンスサブルーチンを任意に含んでもよい）。起動させない場合、プログラムは有効なトリガ信号を受け取るまで待つ。トリガ２９８が起動されると、ステップ３０２において、空気流が漸増する。漸増量は設計上の選択事項であり、作業者には、微調整、粗調整、又はこれら両方の選択肢を与えることができる。ステップ３０４において、プログラムは、最大空気流がスプレーアプリケーター２５０に供給されているかどうかを判定する。供給されていない場合、ステップ３０６において、プログラムは、トリガ２９８がオンのままかどうかを確認する。オンのままである場合、ロジックは３０２に戻り、再び空気流を増加させる。このように、作業者はトリガ２９８を押して、増加した空気流でのパターン変化を観察し、トリガ２９８を解除することにより停止させることができる。
【００６５】
ステップ３０６において、トリガ２９８がもうオンになっていない場合、プログラムは、３０８においてその空気流量を維持し、ステップ３００に戻って次のトリガ作動を待つ。
【００６６】
ステップ３０４において、最大空気流が供給されているとシステムが判定した場合、ステップ３１０において、ロジックは、トリガ２９８が起動されたままかどうかを確認する。起動されたままではない場合、プログラムはステップ３０８に分岐し、その空気流量（したがって選択されたパターン）を維持する。ステップ３１０において、トリガがオンのままである場合、プログラムは、３１２において空気流を最小流量にリセットし、ステップ３００に戻る。代替的に、ステップ３１２において、最小流量にリセットして別のトリガを待つ代わりに、プログラムはステップ３０２に分岐して、再び漸増を開始してもよい。この代替的な方法により、作業者は、トリガを押したままにして、空気流を最大空気流量まで調整した後で再び最小空気流量から漸増させながらスプレーパターンを観察することができる。
【００６７】
パターン整形空気に関して前述した「ランプ」機能の別の代替例として、制御関数を「ｈｉ（高）／ｌｏ（低）」機能を組み込むようにプログラムしてもよい。この「ｈｉ／ｌｏ」機能は、トリガ２９８の離散的な作動を用いて、「高」と「低」との間でパターン整形空気流設定を切り替える。通常のスプレーの最中に、例えば作業者は、手動ガンコントローラから制御する高設定を用いて、大きな扇形パターンを形成する。次に、作業者は、部品をよりうまくコーティングするために狭い扇形パターンが必要な領域に達する。作業者がトリガ２９８を１回作動させると、コントローラがパターン整形空気流を、作業者が手動ガンコントローラによって事前設定していた特定の値より低い設定に変更する。トリガ２９８の２回目の作動では、パターン整形空気流が「高」設定に戻る。
【００６８】
空気流の調整によりスプレーパターンを変えることは、調整が本質的にソフトウェアロジック制御関数であるため、本明細書で上述した自動スプレーアプリケーターにおいても実施することができることに留意されたい。自動ガンバージョンでは、制御システムに、作業者がガンへの空気流量を漸増させるために起動するスイッチを設けてもよい。
【００６９】
本発明は、好ましい実施形態を参照して説明してきた。本明細書及び図面を読んで理解すれば、本発明者ら以外でも変更及び変形を思いつくであろう。本発明は、添付の特許請求の範囲又はその等価物内にある限り、このような変更及び変形全てを含むことが意図される。
【図面の簡単な説明】
【００７０】
【図１】本発明を利用する粉体コーティング材料塗布システムの簡略外略図である。
【図２Ａ】本発明によるスプレーアプリケーターの長手方向断面図である。
【図２Ｂ】図２Ａの丸で囲んだ前方部分の拡大図である。
【図２Ｃ】図２Ａの丸で囲んだ後方部分の拡大図である。
【図３Ａ】図２Ａのスプレーアプリケーターの分解斜視図である。
【図３Ｂ】図２Ａのスプレーアプリケーターの分解斜視図である。
【図４】空気キャップの正面斜視図である。
【図５】図４の空気キャップの長手方向断面図である。
【図６】電極を保持して示す、図４の空気キャップの長手方向断面図である。
【図７Ａ】電極及びホルダアセンブリの図である。
【図７Ｂ】電極及びホルダアセンブリの図である。
【図７Ｃ】電極及びホルダアセンブリの図である。
【図８Ａ】本発明による手動スプレーアプリケーターの立面図である。
【図８Ｂ】図８Ａのアプリケーターの長手方向断面図である。
【図８Ｃ】図８Ａ及び図８Ｂのアプリケーターで用いられる粉体管の斜視図である。
【図９】本発明によるパターン調整アルゴリズムのロジックフローチャートである。
【図１】
2007502705.tif 000003
【図２Ａ】
2007502705.tif 000004
【図２Ｂ】
2007502705.tif 000005
【図２Ｃ】
2007502705.tif 000006
【図３Ａ】
2007502705.tif 000007
【図３Ｂ】
2007502705.tif 000008
【図４】
2007502705.tif 000009
【図５】
2007502705.tif 000010
【図６】
2007502705.tif 000011
【図７Ａ】
2007502705.tif 000012
【図７Ｂ】
2007502705.tif 000013
【図７Ｃ】
2007502705.tif 000014
【図８Ａ】
2007502705.tif 000015
【図８Ｂ】
2007502705.tif 000016
【図８Ｃ】
2007502705.tif 000017
【図９】
2007502705.tif 000018
【国際調査報告】
2007502705.tif 000019
2007502705.tif 000020
2007502705.tif 000021
2007502705.tif 000022
2007502705.tif 000023